(57)【要約】  【課題】    導電性を有する表面仕上げが施されている下地床面に対して静電気を確実に逃がす(除去する)ことが出来ると共に、下地床面に対する導電処置を当該下地床面を傷めることなく簡便且つ安価に行なうことが出来、しかも導電処置を必要としない通常のフリーアクセスフロア敷設工事と同様の仕様で施工できるようにする。  【解決手段】  下地床面Ｂ上に固着される固定プレート１に、導電性を有し且つばね性を備えた導電部材４を前記下地床面Ｂ上に付勢接触するように取り付けてなる。  【選択図】    図１
2005076257.tif 000002
【特許請求の範囲】
【請求項１】
建造物の下地床面上に固着される固定プレートと、該固定プレートに立設される脚支柱と、該脚支柱の上端部に装着されフロアパネルを支承するパネル載置用台座とからなるフリーアクセスフロア用支持脚であって、前記固定プレートに、導電性を有し且つばね性を備えた導電部材を前記下地床面上に付勢接触するように取り付けてなることを特徴とするフリーアクセスフロア用支持脚。
【請求項２】
前記導電部材が、導電性を有し且つばね性を備えた帯板材を折り曲げて、前記固定プレートの表裏両面を挟持するように差し込み取り付けられるクリップ部と、該クリップ部から前記下地床面上に付勢接触するように延設される圧接部とから形成されている請求項１記載のフリーアクセスフロア用支持脚。
【発明の詳細な説明】
【技術分野】
【０００１】
本発明は、建造物の下地床面に等間隔を置いて配設された支持脚にわたってフロアパネルを載承敷設して、下地床面の上方にフリーアクセスフロア（二重床）を構築するためのフリーアクセスフロア用支持脚に関し、特に、鉄骨根太など下地床面が導電性を有する表面仕上げが施されている場所（下地）に用いるのに適したフリーアクセスフロア用支持脚に関するものである。
ちなみに、特にクリーンルームにおいては塵埃だけでなく、室内で生じる静電気を除去する必要があるため、下地床面に導電性を付与させて室内の静電気を下地床面にフリーアクセスフロアを通して逃がす(除去する)、いわゆる導電処置を施す工夫がなされている。
【背景技術】
【０００２】
従来のこの種のフリーアクセスフロア用支持脚では、導電性を有する表面仕上げが施されている下地床面に導電処置をする場合、図４に示すごとく支持脚Ａの固定プレート１を下地床面Ｂ上に固着するための接着剤Ｃとして導電性を有するものを使用するか、或いは固定プレート１と下地床面Ｂとにわたってアース用ボルト９を締結施工していた。
しかし、導電性を有する接着剤を用いると材料費が高価であるだけでなく施工工事の作業性が劣る不具合があり、また、固定プレート１と下地床面Ｂとにわたってアース用ボルト９を締結施工する場合には、下地床面Ｂに穴開け加工を施す必要があり、そのため施工に手間がかかり工事費が割高になると同時に、下地床面Ｂを痛めるといった不具合があった。
尚、本願出願人が知っている上記の先行技術は、文献公知発明に係るものではないため、本願明細書には先行技術文献情報を開示しない。
【発明の開示】
【発明が解決しようとする課題】
【０００３】
本発明はこのような従来の不具合に鑑みてなされたものであり、導電性を有する表面仕上げが施されている下地床面に対して静電気を確実に逃がす(除去する)ことが出来ると共に、下地床面に対する導電処置を当該下地床面を傷めることなく簡便且つ安価に行なうことが出来、しかも導電処置を必要としない通常のフリーアクセスフロア敷設工事と同様の仕様でもって施工することが可能なフリーアクセスフロア用支持脚を提供せんとするものである。
【課題を解決するための手段】
【０００４】
斯かる目的を達成する本発明のフリーアクセスフロア用支持脚は、建造物の下地床面上に固着される固定プレートと、その固定プレートに鉛直状に立設される脚支柱と、該脚支柱の上端部に装着されてフロアパネルを支承するためのパネル載置用台座とからなるフリーアクセスフロア用支持脚であって、前記固定プレートに、導電性を有し且つばね性を備えた導電部材を前記下地床面上に付勢接触するように取り付けてなることを特徴としたものである。よって、クリーンルーム等の室内で生じた静電気は、フロアパネルから支持脚のパネル載置用台座→脚支柱→固定プレート→導電部材を通して、下地床面に逃がす(アースされる)仕組みになっている。
この際、前記導電部材としては、導電性を有し且つばね性を備えた銅材や鋼材等からなる帯板材を折り曲げて、支持脚の固定プレートの表裏両面を挟持するように差し込み取り付けられるクリップ部と、そのクリップ部から下地床面上に付勢接触するように延設される圧接部とから形成されているものを用いるのが好ましい。
【発明の効果】
【０００５】
本発明に係るフリーアクセスフロア用支持脚によれば、固定プレートに、導電性を有し且つばね性を備えた導電部材を下地床面上に付勢接触するように取り付けるだけなので、導電性を有する下地床面に対する導電処置を下地床面を傷めることなく簡便且つ安価に行うことが出来ると共に、下地床面に対する導電処置を必要としない通常のフリーアクセスフロア敷設工事と同様の仕様でもって施工することが可能となる。
しかも、固定プレートに取り付けられる導電部材は、導電性を有し且つばね性を備え下地床面上に付勢接触するように取り付けられているので、フリーアクセスフロアで生じた静電気を下地床面に対して確実に逃がす(除去する)ことが出来る。
特に、請求項２に記載のフリーアクセスフロア用支持脚のように導電部材として、導電性を有し且つばね性を備えた銅材や鋼材等からなる帯板材を折り曲げて、支持脚の固定プレートの表裏両面を挟持するように差し込み取り付けられるクリップ部と、そのクリップ部から下地床面上に付勢接触するように延設される圧接部とから形成されているものを用いることにより、導電部材を安価に製造しえると同時に、固定プレートに取り付ける際に工具を使用することなくワンタッチで取り付けることが出来、且つ上記圧接部に下地床面に付勢する強力なばね性を付与することが出来るので下地床面に対する導電性能をより確実なものとすることが出来る。
【発明を実施するための最良の形態】
【０００６】
以下、本発明の具体的な好適実施例を図面を参照しながら詳細に説明するが、本発明は図示実施例のものに限定されるものではない。
【０００７】
図中、Ａは本発明に係る支持脚を示し、Ｂは従来と同様にＨ型鋼材などからなる鉄骨根太等の少なくともその表面が導電性を有するように表面処理が施された下地床面を示し、Ｃは支持脚Ａに支承されている従来と同様のフロアパネルを示す。
【０００８】
支持脚Ａは、基本的には従来と同様に、下地床面Ｂ上に固着される固定プレート１と、その固定プレート１に鉛直状に一体的に立設される脚支柱２と、該脚支柱２の上端部に上下動可能に装着されてフロアパネルＣを支承するためのパネル載置用台座３とから構成され、固定プレート１に導電部材４が取り付けられる。
【０００９】
また、図中の符号５で示す部材は、脚支柱２の外周に刻設された雄螺子２１に螺動自在に螺合されパネル載置用台座３を脚支柱２に対して上下方向に高さ調節自在に支持するための高さ調節ナットであり、符号６はその高さ調節ナットが不用意に螺動回転しないように固定するための固定ボルトである。なお、パネル載置用台座３を脚支柱２に対して上下方向に高さ調節自在に支持する機構は図示実施例のものに限定されるものではなく、他の公知の機構を採用することが可能であり、更に本発明は、パネル載置用台座３が脚支柱２に対して高さ調節自在に構成されていない高さ固定タイプのフリーアクセスフロア用支持脚にも適用可能である。
【００１０】
固定プレート１と脚支柱２とパネル載置用台座３及び導電部材４はそれぞれ導電性を有する金属材料を用いて所定の形状に形成され、クリーンルーム等の室内で生じた静電気は、フロアパネルＣからパネル載置用台座３→脚支柱２→固定プレート１→導電部材４と順に流れて下地床面Ｂに逃がされる。
【００１１】
固定プレート１は、やや厚手の鋼板等を用いて略正方形状に形成され、その外縁部分の適宜箇所に１個または複数個の導電部材４をその一部が固定プレート１の外側方へ突出するように取り付け、下地床面Ｂ上に接着剤Ｄおよび/または取付けボルトを用いて固着される。
【００１２】
導電部材４は、銅材や鋼材等の導電性を有し且つばね性を備えた金属製帯板材を用いて、支持脚Ａの固定プレート１の表裏両面を挟持するように差し込み取り付けられるクリップ部４１と、そのクリップ部４１から下地床面Ｂ上に付勢接触するように延設される圧接部４２とを折り曲げて形成してなる。すなわち、金属製帯板材の一方側を支持脚Ａの固定プレート１の厚みとほぼ同じ幅（Ｈ）を有する略コの字形に折り曲げてクリップ部４１を形成すると共に、その上辺側を反対方向に湾曲させて折り返して圧接部４２とするものである。この際、クリップ部４１を形成している下側水平部分41ａの先端部分41ａ’が湾曲部分４３より少し突出するように形成すると共に、クリップ部４１を拡開したときにその分だけ圧接部４２が下地床面Ｂ上により強く付勢接触するように、クリップ部４１を形成している上側水平部分41ｂをその先端方（湾曲部分４３の一部）が下側水平部分41ａに接触するがごとくに下側水平部分41ａ方へ向けて立上がり部分４４から屈曲させることが好ましい。
【００１３】
而して、導電部材４を支持脚Ａの固定プレート１に取り付ける場合には、図３に示すごとく、下側水平部分41ａの先端部分41ａ’を固定プレート１の裏面側外縁に引っ掛けて圧接部４２を少し押し下げるとクリップ部４１が開口するので、その状態のまま圧接部４２を持って固定プレート１方へ押し込めば、クリップ部４１が支持脚Ａの固定プレート１の外縁に固定プレート１の表裏両面を挟持するがごとくに差し込まれ導電部材４が取り付けられる。すると、図１に示すごとく固定プレート１の表裏両面がクリップ部４１の上下水平部分41ａ,41ｂで挟持され、圧接部４２が下地床面Ｂ上に付勢接触するようになる。
【図面の簡単な説明】
【００１４】
【図１】本発明実施の一例を示す一部断面をした側面図。
【図２】本発明に係る導電部材の１実施例を示す斜視図。
【図３】本発明に係る導電部材を支持脚の固定プレートに取り付ける状態を説明する斜視図。
【図４】従来例を説明する一部を断面した側面図。
【符号の説明】
【００１５】
Ａ：支持脚                Ｂ：下地床面            Ｃ：フロアパネル
１：固定プレート          ２：脚支柱              ３：パネル載置用台座
４：導電部材              ５：高さ調節ナット      ６：固定ボルト
４１：クリップ部        ４２：圧接部            ４３：湾曲部
４４：立上がり部分      41ａ：下側水平部分      41ｂ：上側水平部分
【図１】
2005076257.tif 000003
【図２】
2005076257.tif 000004
【図３】
2005076257.tif 000005
【図４】
2005076257.tif 000006